(57)【特許請求の範囲】
【請求項１】
カメラ部を内蔵するカメラユニットであって、
前記カメラ部に対して覆設される第一のカバー部材および第二のカバー部材と、
前記第一のカバー部材および第二のカバー部材を嵌合することによって形成される回転軸部に対して取り付けられる回転つまみ部材と
を備え、
前記第一のカバー部材および第二のカバー部材は、
互いに嵌合され前記回転軸部の軸線に直交する平面で切断された場合に略半円状をなす形状を有するとともに、前記回転軸部において相互に接合されることを特徴とするカメラユニット。
【請求項２】
前記第一のカバー部材および第二のカバー部材は、
前記回転軸部において固定用ネジを用いて螺合されることによって相互に接合されることを特徴とする請求項１に記載のカメラユニット。
【請求項３】
前記第一のカバー部材および第二のカバー部材は、
前記回転つまみ部材が有する延伸部を挟み込みつつ相互に接合されることを特徴とする請求項２に記載のカメラユニット。
【請求項４】
前記回転軸部は、
前記固定用ネジの座面と密着する形状の切り欠きを有することを特徴とする請求項２または３に記載のカメラユニット。
【請求項５】
車室のウィンドウと対向する面に該ウィンドウへの貼着面を有する凸状取り付け部を具備した本体部へ収納され、前記ウィンドウへ取り付けられることを特徴とする請求項１〜４のいずれか一つに記載のカメラユニット。
【請求項６】
カメラ部を内蔵するカメラユニットを収容可能な本体部を有する映像記録装置であって、
前記カメラユニットは、
前記カメラ部に対して覆設される第一のカバー部材および第二のカバー部材と、
前記第一のカバー部材および第二のカバー部材を嵌合することによって形成される回転軸部に対して取り付けられる回転つまみ部材と
を備え、
前記第一のカバー部材および第二のカバー部材は、
互いに嵌合され前記回転軸部の軸線に直交する平面で切断された場合に略半円状をなす形状を有するとともに、前記回転軸部において相互に接合され、前記本体部の端部に該本体部に対して回動可能に固定されることを特徴とする映像記録装置。
【請求項７】
前記本体部は、
車室のウィンドウと対向する面に該ウィンドウへの貼着面を有する凸状取り付け部
を備えることを特徴とする請求項６に記載の映像記録装置。
【発明の詳細な説明】
【技術分野】
【０００１】
本発明は、カメラユニットおよび映像記録装置に関し、特に、意匠の自由度を高めつつ小型化を図ることができ、かつ、容易に撮像角度の調整を行うことができるカメラユニットおよび映像記録装置に関する。
【背景技術】
【０００２】
従来、車両へ設置され、走行中の車両周辺の状況を撮像しつつ、交通事故や急操作といった所定のイベントが生じた場合には、イベント前後の撮像映像を記憶媒体へ記録するイベントデータレコーダ（以下、「ドライブレコーダ」と記載する）が知られている。なお、かかるドライブレコーダが記録した撮像映像は、交通事故などの原因究明における客観的な分析資料として用いられる。
【０００３】
ところで、ドライブレコーダには、記憶部などを含む本体部とカメラユニットとが、分離した個別の筐体に収められた分離型のものと、同一の筐体に収められた一体型のものとが存在する。
【０００４】
ここで、分離型のドライブレコーダにおいては、本体部とカメラユニットとを有線接続することが一般的であるが、交通事故の衝撃の大きさによってはかかる有線接続の断線や短絡（ショート）などが起こり得る。このため、近年では、分離型に比べて一体型のドライブレコーダの普及がめざましい。
【０００５】
たとえば、特許文献１には、円筒形状の本体部内部にカメラユニットを搭載した一体型のドライブレコーダが開示されている。なお、かかる特許文献１に開示されているドライブレコーダの取り付けは、フロントガラスに取り付けられた支持部を、本体部の一方の端部と円形状のナットとで挟み込みつつ螺合することによって行われる。また、かかるドライブレコーダの撮像角度の調整は、カメラユニットを本体部ごと回動させることによって行われる。
【先行技術文献】
【特許文献】
【０００６】
【特許文献１】特開２０１０−１０５５３０号公報
【発明の概要】
【発明が解決しようとする課題】
【０００７】
しかしながら、特許文献１の技術を用いた場合、上述のように撮像角度の調整を行うにあたっては、カメラユニットを本体部ごと回動させる必要があるため、かかる調整に本体部の重量が影響を与えやすく、容易に調整しづらいという問題があった。
【０００８】
また、本体部の一方の端部でドライブレコーダを支持しているため、本体部がバランスを失いやすく、さらに角度調整を行いづらくしていた。
【０００９】
なお、この点、調整操作を行う操作部の意匠を工夫などすることで角度調整を行いやすくすることは可能である。しかしながら、特許文献１においては、かかる点について言及していない。
【００１０】
また、これらの問題点に加えて、ドライブレコーダは、保安基準として「前面ガラスの上縁であって、車両中心線と平行な鉛直面上のガラス開口部の実長の２０％以内の範囲」に取り付けなければならない旨が規定されている。したがって、一体型でありつつも、より小型に構成できることが好ましい。
【００１１】
これらのことから、意匠の自由度を高めつつ小型化を図ることができ、かつ、容易に撮像角度の調整を行うことができるカメラユニットあるいはドライブレコーダをいかにして実現するかが大きな課題となっている。なお、かかる課題は、ドライブレコーダに限らず、カメラユニットを搭載して映像を記録する映像記録装置全般についても同様に発生する課題である。
【００１２】
本発明は、上述した従来技術による問題点を解消するためになされたものであって、意匠の自由度を高めつつ小型化を図ることができ、かつ、容易に撮像角度の調整を行うことができるカメラユニットおよび映像記録装置を提供することを目的とする。
【課題を解決するための手段】
【００１３】
上述した課題を解決し、目的を達成するため、本発明は、カメラ部を内蔵するカメラユニットであって、前記カメラ部に対して覆設される第一のカバー部材および第二のカバー部材と、前記第一のカバー部材および第二のカバー部材を嵌合することによって形成される回転軸部に対して取り付けられる回転つまみ部材とを備え、前記第一のカバー部材および第二のカバー部材は、互いに嵌合され前記回転軸部の軸線に直交する平面で切断された場合に略半円状をなす形状を有するとともに、前記回転軸部において相互に接合されることを特徴とする。
【００１４】
また、本発明は、カメラ部を内蔵するカメラユニットを収容可能な本体部を有する映像記録装置であって、前記カメラユニットは、前記カメラ部に対して覆設される第一のカバー部材および第二のカバー部材と、前記第一のカバー部材および第二のカバー部材を嵌合することによって形成される回転軸部に対して取り付けられる回転つまみ部材とを備え、前記第一のカバー部材および第二のカバー部材は、互いに嵌合され前記回転軸部の軸線に直交する平面で切断された場合に略半円状をなす形状を有するとともに、前記回転軸部において相互に接合され、前記本体部の端部に該本体部に対して回動可能に固定されることを特徴とする。
【発明の効果】
【００１５】
本発明によれば、カメラ部に対して覆設される第一のカバー部材および第二のカバー部材と、かかる第一のカバー部材および第二のカバー部材を嵌合することによって形成される回転軸部に対して取り付けられる回転つまみ部材とを備え、第一のカバー部材および第二のカバー部材は、互いに嵌合され回転軸部の軸線に直交する平面で切断された場合に略半円状をなす形状を有するとともに、回転軸部において相互に接合されることとしたので、意匠の自由度を高めつつ小型化を図ることができ、かつ、容易に撮像角度の調整を行うことができるという効果を奏する。
【００１６】
また、本発明によれば、カメラユニットは、カメラ部に対して覆設される第一のカバー部材および第二のカバー部材と、かかる第一のカバー部材および第二のカバー部材を嵌合することによって形成される回転軸部に対して取り付けられる回転つまみ部材とを備え、第一のカバー部材および第二のカバー部材は、互いに嵌合され回転軸部の軸線に直交する平面で切断された場合に略半円状をなす形状を有するとともに、回転軸部において相互に接合され、本体部の端部に本体部に対して回動可能に固定されることとしたので、意匠の自由度を高めつつ小型化を図ることができ、かつ、容易に撮像角度の調整を行うことができるという効果を奏する。
【図面の簡単な説明】
【００１７】
【図１】図１は、本発明に係るカメラユニット組み立て手法の概要を示す図である。
【図２】図２は、本実施例に係るカメラユニットの斜視図である。
【図３】図３は、本実施例に係るカメラユニットの分解図である。
【図４】図４は、回転つまみ部の種々の意匠を示す図である。
【図５】図５は、第一のカバーと第二のカバーとの接合手法、および、回転つまみ部の取り付け手法の変形例を示す図である。
【図６】図６は、ドライブレコーダの構造および外観を示す図である。
【図７】図７は、ドライブレコーダの第二の本体部カバーの内部構造を示す図である。
【発明を実施するための形態】
【００１８】
以下に、添付図面を参照して、本発明に係るカメラユニットおよび映像記録装置の好適な実施例を詳細に説明する。なお、以下では、本発明に係るカメラユニット組み立て手法の概要について図１を用いて説明した後に、本発明に係るカメラユニット組み立て手法を適用したカメラユニットおよび映像記録装置についての実施例を図２〜図７を用いて説明することとする。また、以下では、映像記録装置が、一体型のドライブレコーダである場合について説明する。
【００１９】
まず、本発明に係るカメラユニット組み立て手法の概要について図１を用いて説明する。図１は、本発明に係るカメラユニット組み立て手法の概要を示す図である。なお、同図の（Ａ）には、従来のカメラユニット組み立て手法の概要を、同図の（Ｂ）には、本発明に係るカメラユニット組み立て手法の概要を、それぞれ示している。
【００２０】
また、同図の（Ａ−ａ）および（Ｂ−ａ）には、カメラユニット１０をＹ軸の正方向からみた概略上面図を、同図の（Ａ−ｂ）および（Ｂ−ｂ）には、カメラユニット１０をＺ軸の負方向からみた分解側面図および回転つまみ部をＸ軸の正方向からみた側面図を、それぞれ示している。
【００２１】
同図の（Ａ）に示したように、従来のカメラユニット組み立て手法によれば、カメラユニット１０は、第一のカバー部材１１と第二のカバー部材１２との２種類の部材を、カメラ部２０を覆うように接合することによって組み立てられていた。
【００２２】
ここで、第一のカバー部材１１には開口部が設けられており、かかる開口部からカメラ部２０のレンズ部が露出される（同図の（Ａ−ａ）参照）。また、第一のカバー部材１１は、突起部１１ａおよび１１ｂを有しており、同様に第二のカバー部材１２が有する突起部１２ａおよび１２ｂとそれぞれ接合されることによって回転軸部が形成される（同図の（Ａ−ｂ）参照）。
【００２３】
ところで、同図の（Ａ−ｂ）に示したように、従来のカメラユニット組み立て手法によれば、回転つまみ部は、あらかじめ第二のカバー１２と連接して成形されていた。このため、金型へ溶融した樹脂などを流し込んで型取りを行う成形工程において、回転つまみ部に金型の継ぎ目であるパーティングラインｌが生じた。
【００２４】
また、回転つまみ部が第二のカバー１２と連接されて成形されるがゆえに、第二のカバー１２を成形する金型の構造は複雑なものとならざるを得なかった。このため、回転つまみ部に対しても独立した複雑な意匠を施しにくかった。
【００２５】
また、従来のカメラユニット組み立て手法によれば、第一のカバー１１と第二のカバー１２とは、上述の回転軸部以外の部分（以下、「カバー本体部」と記載する）において接合されていた。
【００２６】
すなわち、同図の（Ａ）のＰ軸上およびＱ軸上に示したように、カバー本体部へネジ穴を設けたうえで、かかるネジ穴へ固定用ネジを締め込むことによって、第一のカバー１１と第二のカバー１２とを接合していた。
【００２７】
このため、カバー本体部は、ネジ穴を含んだ所定の幅Ｌ１を有せざるを得なかった。すなわち、かかる所定の幅Ｌ１は、小型化を図るうえにおいてのデメリットとなっていた。
【００２８】
そこで、本発明に係るカメラユニット組み立て手法では、第一のカバー１１と第二のカバー１２とをカバー本体部ではなく「回転軸部において接合」することとした。具体的には、同図の（Ｂ）のＰ軸上およびＱ軸上に示したように、突起部１１ａ、１１ｂ、１２ａおよび１２ｂへそれぞれネジ穴を設けたうえで、かかる突起部によって形成される回転軸部において固定用ネジによる接合を行うこととした。
【００２９】
これにより、カバー本体部は、ネジ穴を含む必要がなくなり、所定の幅Ｌ１より小さい所定の幅Ｌ２を有することができる。すなわち、カメラユニット１０の小型化を図ることが可能となる。
【００３０】
また、同図の（Ｂ−ｂ）に示したように、本発明に係るカメラユニット組み立て手法では、回転つまみ部１３を第二のカバー１２と連接した部材ではなく、第二のカバー１２とは「分離した独立の部材」として設けることとした（同図の（Ｂ−ｂ）の白色矢印を参照）。
【００３１】
これにより、各部材を成形する金型の構造を簡素化することができるため、回転つまみ部１３に対して独立した複雑な意匠を施すことが可能となる。たとえば、カメラ部２０の撮像角度を調整するうえでの操作性を高める回転つまみガイド１３ａなどを設けることができる（同図の（Ｂ−ｂ）参照）。
【００３２】
なお、同図の（Ｂ−ｂ）には図示していないが、回転つまみ部１３は延伸部を有しており、かかる延伸部を第一のカバー１１と第二のカバー１２との間に挟み込む形で取り付けられる。かかる点については、図３を用いて後述する。
【００３３】
また、同図の（Ｂ−ｂ）においては、真円状の回転つまみ部１３および複数の真円を連接した形状の回転つまみガイド１３ａを例に挙げているが、回転つまみ部１３の意匠はかかる場合に限定されない。かかる意匠の自由度については、図４を用いて後述する。
【００３４】
また、図１においては、第一のカバー１１と第二のカバー１２とを、固定用ネジを用いて接合する場合を示しているが、かかる接合手法はネジを用いるものに限られない。たとえば、弾性体素材による係合爪を用いることとしてもよい。かかる点については、図５を用いて後述する。
【００３５】
また、カメラユニット１０の組み立ての際に、第一のカバー１１と第二のカバー１２とを容易に係り合わせることができるように、係合方向を一定とする工夫を施してもよい。かかる点については、図２を用いて後述する。
【００３６】
このように、本発明に係るカメラユニット組み立て手法では、カメラ部に対して覆設する部材を、第一のカバー１１と、第二のカバー１２と、回転つまみ部１３との「３種類の分離した部材」によって構成することとした。
【００３７】
そして、第一のカバー１１と、第二のカバー１２とを、「回転軸部において接合」することとした。したがって、意匠の自由度を高めつつ小型化を図ることができ、かつ、容易に撮像角度の調整を行うことができる。
【００３８】
以下では、図１を用いて説明したカメラユニット組み立て手法を適用したカメラユニットおよびドライブレコーダについての実施例を詳細に説明する。
【実施例】
【００３９】
図２は、本実施例に係るカメラユニット１０の斜視図である。なお、同図の（Ａ）には、カメラユニット１０を回転つまみ部１３側からみた斜視図を、同図の（Ｂ）には、カメラユニット１０を突起部１１ａおよび１２ａ側からみた斜視図を、それぞれ示している。
【００４０】
同図の（Ａ）に示したように、カメラユニット１０は、カメラ部２０と、かかるカメラ部２０に対して覆設される第一のカバー１１と、第二のカバー１２と、回転つまみ部１３とから構成される。
【００４１】
第一のカバー１１は、カメラ部２０を露出する開口部を有する部材である。なお、同図の（Ａ）においては、かかる開口部の形状が真円状である例を示しているが、カメラ部の形状や意匠の自由度に応じた最適な形状とすればよい。
【００４２】
また、第一のカバー１１は、突起部１１ａおよび１１ｂを有しており、第二のカバー１２が有する突起部１２ａおよび１２ｂ（同図の（Ａ）では図示せず）とそれぞれ接合されて回転軸部を形成する。なお、第一のカバー１１および第二のカバー１２は、かかる回転軸部においてカバー固定ネジ３１および３２を用いて固定される。
【００４３】
また、第一のカバー１１は、回転軸部の軸線に直交する平面で切断した場合に半円状となる形状を有している。かかる半円状の形状には、回転軸部を軸とする回動動作をスムースに行わせるだけでなく、内部に配する（カメラ部に配線されている）接続ケーブルの（カメラの回転に際してケーブルが動く為の）逃げを設けるうえで、小型でありつつ十分な奥行きを得られるというメリットがある。
【００４４】
第二のカバー１２は、第一のカバー１１と係り合わせて接合される部材である。なお、図示しないが、第二のカバー１２は、カメラ部２０の台座部を有しており、カメラ部２０は、かかる台座部へ据えつけられる。
【００４５】
回転つまみ部１３は、操作者が撮像角度の調整を行う際に操作する部材であり、操作者が行う回動操作を、回転軸部を通じてカメラ部へ伝達することによって角度調整を実現する。なお、回転つまみ部１３は、回転軸部に対して固定されるが、かかる固定の手法については図３を用いて後述する。
【００４６】
また、回転つまみ部１３は、回転つまみガイド１３ａを有しており、たとえば、操作者は、かかる回転つまみガイド１３ａへ指を挿し込むことによって容易に回動操作を行うことができる。
【００４７】
また、図２の（Ｂ）に示したように、回転つまみガイド１３ａは、角度支持ネジ穴１３ｂを有している。かかる角度支持ネジ穴１３ｂは、回転つまみ部１３の回動角度に応じて複数設けられており、図６を用いて後述する角度支持ネジを貫入することによってカメラ部２０の撮像角度を支持する役割を果たす。
【００４８】
なお、図２の（Ｂ）に示したように、第一のカバー１１は、突起部１１ａにおいて、カバー固定ネジ３１を保持する座面用切り欠き１１ａａを有している。かかる座面用切り欠き１１ａａは、回転軸部においてもカバー固定ネジ３１を安定して保持できるように、ネジ座面と密着する形状に成形されることが好ましい。また、かかる座面用切り欠き１１ａａは、第一のカバー１１あるいは第二のカバー１２のいずれの突起部に設けられてもかまわない。
【００４９】
また、第一のカバー１１および第二のカバー１２を容易に係り合わせることができるように、第一のカバー１１あるいは第二のカバー１２の係合面は、それぞれ異なる形状であることが好ましい。
【００５０】
たとえば、同図の（Ｂ）に示したように、第二のカバー１２については、その突起部１２ａに対して係合爪１２ａａを設けたうえで、第一のカバー１１については、かかる係合爪１２ａａに対応する係合溝を設けることができる。なお、かかる係合面における形状の工夫は、カメラユニット１０の内部においても施すことができる。かかる点については、つづく図３の説明において後述する。
【００５１】
図３は、本実施例に係るカメラユニット１０の分解図である。同図に示したように、カメラユニット１０は、第一のカバー１１と、カメラ部２０を台座部へ据えつけた第二のカバー１２とを回転軸部において固定することによって組み立てられる。
【００５２】
このとき、回転つまみ部１３は、かかる回転つまみ部１３の有する延伸部１３ｃが、第一のカバー１１と第二のカバー１２との間に挟み込まれ、カバー固定ネジ３２がＱ軸上のネジ穴を貫いて締め込まれることによって固定される。
【００５３】
また、第二のカバー１２は、図２において示した係合爪１２ａａだけでなく、係合突起１２ｂａを有しており、第一のカバー１１と第二のカバー１２との係合方向を一定方向とすることを容易にする役割を果たす。
【００５４】
なお、図示していないが、かかる係合方向を一定方向とするにあたっては、たとえば、回転軸部において、突起部１１ａおよび１２ａを係合した部分の長さと、突起部１１ｂおよび１２ｂを係合した部分の長さとを、それぞれ異なるものとしてもよい。
【００５５】
次に、図４を用いて、回転つまみ部１３の意匠の多様性について説明する。図４は、回転つまみ部１３の種々の意匠を示す図である。なお、同図の（Ａ）には、真円状の形状をベースとした回転つまみ部１３の意匠について、同図の（Ｂ）には、楕円状の形状をベースとした回転つまみ部１３の意匠について、同図の（Ｃ）には、多角形状の形状をベースとした回転つまみ部１３の意匠について、それぞれ示している。
【００５６】
同図の（Ａ）に示したように、本実施例に係るカメラユニット１０は、操作者に対して中心ｃを中心とする回動動作であることを容易に想定させる意匠として、回転つまみ部１３を、真円形状をベースとしたものとすることができる。
【００５７】
そして、かかる回動動作を操作者に対して容易に行わせることができるように、指を挿し込む形状の回転つまみガイド１３ａを設けることができる。
【００５８】
また、同図の（Ｂ）に示したように、回転つまみ部１３を、楕円形状をベースとしたものとしてもよい。たとえば、同図の（Ｂ−ａ）には、回転つまみガイド１３ａをあえて設けない楕円形状の回転つまみ部１３を示している。
【００５９】
なお、かかる楕円形状の回転つまみ部１３は、真円形状のものと比較して外縁を指でつまみやすいというメリットを有する。したがって、さらなるつまみやすさを考慮して、たとえば、同図の（Ｂ−ｂ）に示したように、かかる楕円形状の回転つまみ部１３の外縁に対してくぼんだ回転つまみガイド１３ａを設けてもよい。
【００６０】
また、同図の（Ｃ）に示したように、回転つまみ部１３を、多角形状をベースとしたものとしてもよい。なお、同図の（Ｃ）には、三角形状をベースとしたものを例として挙げている。
【００６１】
同図の（Ｃ−ａ）に示したように、本実施例に係るカメラユニット１０は、回転つまみ部１３を、三角形状をベースとすることもできる。かかる意匠は、たとえば、カメラユニット１０を搭載するドライブレコーダが鋭角的な意匠である場合に、かかるドライブレコーダとあわせて統一的な意匠としたい場合などに効果を奏する。
【００６２】
また、同図の（Ｃ−ｂ）に示したように、かかる三角形状をベースとした回転つまみ部１３の外縁に対して、大きなくぼみ状の回転つまみガイド１３ａを設けることとしてもよい。この場合、たとえば、かかるくぼみ状の回転つまみガイド１３ａの一つに指１本を掛からせるのみで、容易に回動操作を行うことができるというメリットを有する。
【００６３】
このように、回転つまみ部１３の意匠には、さまざま趣向をこらすことができる。したがって、上述した操作性やドライブレコーダの意匠との統一感などを考慮すれば、図４に示した真円状、楕円状および多角形状のものに限定されない。
【００６４】
ところで、これまでは、第一のカバー１１と第二のカバー１２とを、回転つまみ部１３を挟み込みつつカバー固定ネジを用いて接合する場合について説明したが、ネジを用いることなく、たとえば、弾性体素材による係合爪などを利用することとしてもよい。
【００６５】
そこで、かかる場合の変形例について、図５を用いて説明する。図５は、第一のカバー１１と第二のカバー１２との接合手法、および、回転つまみ部１３の取り付け手法の変形例を示す図である。
【００６６】
なお、同図の（Ａ）には、変形例に係るカメラユニット１０をＹ軸の正方向からみた概略上面図を、同図の（Ｂ）には、変形例に係るカメラユニット１０をＺ軸の負方向からみた分解側面図および回転つまみ部１３をＸ軸の正方向からみた側面図を、それぞれ示している。
【００６７】
同図の（Ａ）に示したように、変形例に係るカメラユニット１０は、回転軸部においてカバー固定ネジのネジ穴を設けることを要しない。したがって、カバー本体部だけでなく、回転軸部についても小型化を図ることができる。
【００６８】
そして、同図の（Ｂ）に示したように、変形例に係るカメラユニット１０は、係合爪とそれに対応する係合溝によって、第一のカバー１１と第二のカバー１２との係合を行うことができる。
【００６９】
具体的には、同図の（Ｂ）の破線の閉曲線１に囲まれた部分に示したように、変形例に係るカメラユニット１０の第二のカバー１２は、鉤状の係合爪を有している。そして、第一のカバー１１は、かかる係合爪に対応する形状の係合溝を有している。
【００７０】
なお、第一のカバー１１および第二のカバー１２は、組成成分に弾性体素材を含んでおり、かかる係合爪と係合溝との係合は、人手による所定の加重によって容易に行うことができる。
【００７１】
また、同図の（Ｂ）に示したように、変形例に係るカメラユニット１０は、回転つまみ部１３の取り付けについても、カバー固定ネジを用いないで行うことができる。たとえば、同図の（Ｂ）の閉曲線２に囲まれた部分に示したように、第一のカバー１１と第二のカバー１２とが係合された場合に、回転軸部の端面に凸状の凸部が形成されるようにする。
【００７２】
なお、かかる凸部は、同図の（Ｂ）に示したように、ＸＹ平面で切断した場合の形状がＴ字状であるものを含むものとする。そして、回転つまみ部１３に対しては、かかる凸部と対応する形状の凹部（逆Ｔ字状を含む）があらかじめ設けられているものとする。
【００７３】
そして、回転つまみ部１３は、かかる凸部と凹部とを嵌合することによって、回転軸部に対して固定される。ここで、回転つまみ部１３もまた、組成成分に弾性体素材を含んでおり、人手による所定の加重によって容易に嵌合することができる。
【００７４】
このように、変形例に係るカメラユニット１０によれば、係合爪と係合溝、および凸部と凹部などを利用することによって、回転つまみ部１３の延伸部１３ｃを挟み込むことなく、また、カバー固定ネジを用いることなくカメラユニット１０を構成することができる。したがって、小型化および軽量化を図りつつ、工具を要さずに容易に組み立てを行うことが可能となる。
【００７５】
次に、ここまで説明してきた本実施例に係るカメラユニット１０を、一体型のドライブレコーダ５０に搭載する場合について図６および図７を用いて説明する。図６は、ドライブレコーダ５０の構造および外観を示す図であり、図７は、ドライブレコーダ５０の第二の本体部カバー５２の内部構造を示す図である。
【００７６】
まず、図６を用いて、ドライブレコーダ５０の構造および外観について説明する。なお、同図の（Ａ）には、ドライブレコーダ５０の構造を示す分解図を、同図の（Ｂ）には、ドライブレコーダ５０の外観図を、それぞれ示している。
【００７７】
同図の（Ａ）に示したように、ドライブレコーダ５０は、機構収納部５７およびカメラユニット１０に対して、第一の本体部カバー５１および第二の本体部カバー５２を覆設することによって構成される。
【００７８】
ここで、機構収納部５７には、ドライブレコーダ５０の回路基盤や予備電源などが収納されており、機構収納部５７自体は、ノイズの外部からの侵入あるいは内部からの漏れ出しを防止する役割を果たす。また、機構収納部５７は、第二の本体部カバー５２へ据えつけられる。
【００７９】
第一の本体部カバー５１は、機構収納部５７を収納可能な空間を有する凸状取り付け部５４を備えている。なお、かかる凸状取り付け部５４の外面には両面テープ５３が貼り付けられており、かかる両面テープ５３をウィンドウなどに貼り付けることによって、ドライブレコーダ５０は、車室へ取り付けられることとなる。
【００８０】
また、第一の本体部カバー５１は、半円状のカメラユニット収納部５８を有しており、かかるカメラユニット収納部５８には、カメラユニット１０の回転軸部の軸受け５５と角度支持ネジ穴５６とが設けられている。
【００８１】
なお、図示していないが、第二の本体部カバー５２も半円状のカメラユニット収納部を有しており、かかるカメラユニット収納部にも軸受け５５と同様の軸受けが設けられている。
【００８２】
また、角度支持ネジ穴５６には、後述する角度支持ネジが、回転つまみ部１３のいずれかの角度支持ネジ穴１３ｂを介して貫入される。すなわち、いずれの角度支持ネジ穴１３ｂを選択するかによって、カメラユニット１０の撮像角度が定まることとなる。
【００８３】
そして、このような構造の、第一の本体部カバー５１と第二の本体部カバー５２とが接合されることによって、同図の（Ｂ）に示したように、カメラユニット１０は、ドライブレコーダ５０に対して回動可能に固定される。
【００８４】
具体的には、同図の（Ｂ）に示したように、操作者による回転つまみ部１３の方向１００への回動操作に応じて、カメラ部２０のレンズもまた方向２００へ回動する。したがって、操作者は、回転つまみ部１３を回動させることによって撮像角度を調整し、所望の調整位置に該当する角度支持ネジ穴１３ｂに対して角度支持ネジ３３を貫入することによって、撮像角度を保持することとなる。
【００８５】
なお、第一の本体部カバー５１と第二の本体部カバー５２との接合については、特にその手法を限定しない。したがって、ネジを用いた螺合によるものであってもよいし、ネジを用いない係合爪と係合溝との係合によるものであってもよい。
【００８６】
つづいて、図７を用いて、ドライブレコーダ５０の第二の本体部カバー５２の内部構造について説明する。同図に示したように、第二の本体部カバー５２には、接続ケーブル６０の配線用ガイドを設けることができる。
【００８７】
具体的には、同図に示したように、第二の本体部カバー５２の底面に、突起状の配線用ガイド５２ａおよび５２ｂを設けることができる。たとえば、同図に示したように、２個の配線用ガイド５２ａを用いて接続ケーブル６０を所定位置で挟み込むことができる。
【００８８】
また、配線用ガイド５２ｂのように、接続ケーブル６０を誘導する形状のものを設けてもよい。これらの配線用ガイド５２ａあるいは５２ｂを適切に配置することで、接続ケーブル６０に対して引っ張りといった無理な負荷が加わる場合であっても、かかる負荷に対する所定の強度を確保することが可能となる。
【００８９】
また、複数の配線パターンをかねる配線用ガイドをあらかじめ設けるなどすれば、たとえば、車室の形状といった諸要素に応じて接続ケーブル６０の取り込み口を適宜選択するような場合であっても、かかる取り込み口の選択に応じて所定の強度を確保しつつ、接続ケーブル６０の配線を行うことが可能となる。
【００９０】
上述してきたように、本実施例では、カメラ部に対して覆設する部材として、第一のカバーと、第二のカバーと、回転つまみ部との３種類の分離した部材を備えることとしたうえで、かかる第一のカバーと第二のカバーとを、両カバーを嵌合した場合に形成される回転軸部において接合するようにカメラユニットを構成した。
【００９１】
そして、かかるカメラユニットを、ドライブレコーダの本体部に対して回動可能に固定することとした。したがって、意匠の自由度を高めつつ小型化を図ることができ、かつ、容易に撮像角度の調整を行うことができる。
【産業上の利用可能性】
【００９２】
以上のように、本発明に係るカメラユニットおよび映像記録装置は、意匠の自由度を高めつつ小型化を図り、かつ、容易に撮像角度の調整を行いたい場合に有用であり、特に、車室の形状や意匠の多様性に応じつつ、容易に取り付けや撮像角度の調整を行うことができるドライブレコーダへの適用に適している。
【符号の説明】
【００９３】
１０    カメラユニット
１１    第一のカバー
１１ａ  突起部
１１ａａ  座面用切り欠き
１１ｂ  突起部
１２    第二のカバー
１２ａ  突起部
１２ａａ  係合爪
１２ｂ  突起部
１２ｂａ  係合突起
１３    回転つまみ部
１３ａ  回転つまみガイド
１３ｂ  角度支持ネジ穴
２０    カメラ部
３１、３２    カバー固定ネジ
３３    角度支持ネジ
５０    ドライブレコーダ
５１    第一の本体部カバー
５２    第二の本体部カバー
５２ａ、５２ｂ  配線用ガイド
５３    両面テープ
５４    凸状取り付け部
５５    軸受け
５６    角度支持ネジ穴
５７    機構収納部
５８    カメラユニット収納部
６０    接続ケーブル
【図１】
0005544266.tif 000002
【図２】
0005544266.tif 000003
【図３】
0005544266.tif 000004
【図４】
0005544266.tif 000005
【図５】
0005544266.tif 000006
【図６】
0005544266.tif 000007
【図７】
0005544266.tif 000008